(57)【要約】【課題】組付性を向上することができる光コネクタを提供する。【解決手段】光ファイバと、この光ファイバの端部に設けられ光ファイバの芯線が挿通されるフェルールと、このフェルールが収容されるハウジング９と、このハウジング９に挿入され係止部１１を介して係止されフェルール７をハウジング９に保持するホルダ１３とを備えた光コネクタ１において、ホルダ１３に、ホルダ１３のハウジング９への挿入方向に向けてリブ１５を延設し、ハウジング９に、リブ１５が嵌合される嵌合部１７を設けた。【選択図】図２
2014219613.tif 000002
【特許請求の範囲】
【請求項１】
光ファイバと、この光ファイバの端部に設けられ前記光ファイバの芯線が挿通されるフェルールと、このフェルールが収容されるハウジングと、このハウジングに挿入され係止部を介して係止され前記フェルールを前記ハウジングに保持するホルダとを備えた光コネクタであって、
前記ホルダと前記ハウジングとのうちいずれか一方には、前記ホルダの前記ハウジングへの挿入方向に向けてリブが延設され、前記ホルダと前記ハウジングとのうち他方には、前記リブが嵌合される嵌合部が設けられていることを特徴とする光コネクタ。
【請求項２】
請求項１記載の光コネクタであって、
前記係止部は、前記ホルダを前記ハウジングに保持し前記フェルールを前記ハウジングに収容可能な仮係止部と、前記フェルールが前記ハウジングに収容された状態で前記ホルダを前記ハウジングに挿入させて保持する本係止部とを有することを特徴とする光コネクタ。
【請求項３】
請求項１又は２記載の光コネクタであって、
前記リブは、前記ホルダに一対設けられ、前記一対のリブ間には、前記フェルールを前記ハウジングに保持するフェルール保持部が設けられ、前記一対のリブは、前記フェルール保持部を介して一体に連結されていることを特徴とする光コネクタ。
【請求項４】
請求項１乃至３のいずれか１項に記載の光コネクタであって、
前記光ファイバは、前記芯線が挿通される加締めスリーブを介して前記フェルールに固定され、前記ホルダは、前記加締めスリーブを介して前記フェルールを前記ハウジングに保持することを特徴とする光コネクタ。
【発明の詳細な説明】
【技術分野】
【０００１】
本発明は、光コネクタに関する。
【背景技術】
【０００２】
従来、光コネクタとしては、光ファイバとしての光ケーブルと、この光ケーブルの端部に設けられ光ケーブルの芯線が挿通されるフェルールと、このフェルールが収容されるハウジングとしてのフレームと、このフレームに組付けられ係止部としての第１ラッチ片と第２ラッチ片とを介して係止されフェルールをフレームに保持するホルダとしての第１、第２面板とを備えたものが知られている（例えば、特許文献１参照）。
【０００３】
この光コネクタでは、第１、第２面板がフレームの上下面を覆うようにフレームに組付けられ、第１、第２面板にコイルバネを介してフェルールをフレームに保持させるフェルール受けがそれぞれ設けられている。
【先行技術文献】
【特許文献】
【０００４】
【特許文献１】特開平６−５９１５６号公報
【発明の概要】
【発明が解決しようとする課題】
【０００５】
ところで、上記特許文献１のような光コネクタでは、ハウジングに対するホルダの組付け位置を位置決めする位置決め突起が設けられている。
【０００６】
しかしながら、この位置決め突起では、ハウジングへのホルダの組付の際に、ホルダがハウジングに対して回転したり、傾いたりするなどの位置ずれを生じる恐れがあり、組付性が低下してしまう恐れがあった。
【０００７】
そこで、この発明は、組付性を向上することができる光コネクタの提供を目的としている。
【課題を解決するための手段】
【０００８】
請求項１記載の発明は、光ファイバと、この光ファイバの端部に設けられ前記光ファイバの芯線が挿通されるフェルールと、このフェルールが収容されるハウジングと、このハウジングに挿入され係止部を介して係止され前記フェルールを前記ハウジングに保持するホルダとを備えた光コネクタであって、前記ホルダと前記ハウジングとのうちいずれか一方には、前記ホルダの前記ハウジングへの挿入方向に向けてリブが延設され、前記ホルダと前記ハウジングとのうち他方には、前記リブが嵌合される嵌合部が設けられていることを特徴とする。
【０００９】
この光コネクタでは、ホルダとハウジングとのうちいずれか一方にホルダのハウジングへの挿入方向に向けてリブが延設され、ホルダとハウジングとのうち他方にリブが嵌合される嵌合部が設けられているので、リブと嵌合部とが嵌合することにより、ハウジングへのホルダの組付の際に、ホルダがハウジングに対して回転したり、傾いたりするなどの位置ずれを抑制することができる。
【００１０】
従って、このような光コネクタでは、ホルダのハウジングに対する位置ずれを抑制することができ、組付性を向上することができる。
【００１１】
請求項２記載の発明は、請求項１記載の光コネクタであって、前記係止部は、前記ホルダを前記ハウジングに保持し前記フェルールを前記ハウジングに収容可能な仮係止部と、前記フェルールが前記ハウジングに収容された状態で前記ホルダを前記ハウジングに挿入させて保持する本係止部とを有することを特徴とする。
【００１２】
この光コネクタでは、係止部が仮係止部と本係止部とを有するので、仮係止部によってハウジングとホルダとを一部材で取り扱うことができ、部品点数を削減することができる。また、仮係止部から本係止部への移行では、リブと嵌合部との嵌合により、ホルダのハウジングに対する位置ずれを抑制することができ、組付性を向上することができる。
【００１３】
請求項３記載の発明は、請求項１又は２記載の光コネクタであって、前記リブは、前記ホルダに一対設けられ、前記一対のリブ間には、前記フェルールを前記ハウジングに保持するフェルール保持部が設けられ、前記一対のリブは、前記フェルール保持部を介して一体に連結されていることを特徴とする。
【００１４】
この光コネクタでは、一対のリブがフェルール保持部を介して一体に連結されているので、リブの剛性を向上してリブの変形を抑制することができ、リブと嵌合部との嵌合を安定化させ、さらに組付性を向上することができる。
【００１５】
請求項４記載の発明は、請求項１乃至３のいずれか１項に記載の光コネクタであって、前記光ファイバは、前記芯線が挿通される加締めスリーブを介して前記フェルールに固定され、前記ホルダは、前記加締めスリーブを介して前記フェルールを前記ハウジングに保持することを特徴とする。
【００１６】
この光コネクタでは、ホルダが加締めスリーブを介してフェルールをハウジングに保持するので、光ファイバに引張力などの外力が加わったとしても、加締めスリーブによって、その外力がフェルールに伝達されることを抑制することができる。
【発明の効果】
【００１７】
本発明によれば、組付性を向上することができる光コネクタを提供することができるという効果を奏する。
【図面の簡単な説明】
【００１８】
【図１】本発明の第１実施形態に係る光コネクタの分解斜視図である。
【図２】本発明の第１実施形態に係る光コネクタのハウジングとホルダの斜視図である。
【図３】本発明の第１実施形態に係る光コネクタのハウジングにホルダを仮係止させたときの側面図である。
【図４】本発明の第１実施形態に係る光コネクタの要部拡大断面図である。
【図５】（ａ）は本発明の第１実施形態に係る光コネクタのハウジングにホルダを仮係止させたときの斜視図である。（ｂ）は図５（ａ）の断面図である。
【図６】（ａ）は本発明の第１実施形態に係る光コネクタのハウジングにホルダを本係止させたときの斜視図である。（ｂ）は図６（ａ）の断面図である。
【図７】本発明の第２実施形態に係る光コネクタの分解斜視図である。
【図８】本発明の第２実施形態に係る光コネクタのハウジングの斜視図である。
【図９】本発明の第２実施形態に係る光コネクタのホルダの斜視図である。
【図１０】本発明の第２実施形態に係る光コネクタのハウジングにホルダを仮係止させたときの側面図である。
【発明を実施するための形態】
【００１９】
図１〜図１０を用いて本発明の実施の形態に係る光コネクタについて説明する。
【００２０】
（第１実施形態）
図１〜図６を用いて第１実施形態について説明する。
【００２１】
本実施の形態に係る光コネクタ１は、光ファイバ３と、この光ファイバ３の端部に設けられ光ファイバ３の芯線５が挿通されるフェルール７と、このフェルール７が収容されるハウジング９と、このハウジング９に挿入され係止部１１を介して係止されフェルール７をハウジング９に保持するホルダ１３とを備えている。
【００２２】
そして、ホルダ１３には、ホルダ１３のハウジング９への挿入方向に向けてリブ１５が延設され、ハウジング９には、リブ１５が嵌合される嵌合部１７が設けられている。
【００２３】
また、係止部１１は、ホルダ１３をハウジング９に保持しフェルール７をハウジング９に収容可能な仮係止部１９と、フェルール７がハウジング９に収容された状態でホルダ１３をハウジング９に挿入させて保持する本係止部２１とを有する。
【００２４】
図１〜図６に示すように、光ファイバ３は、芯線５の外周に被覆が施された中実タイプの２本の光ファイバからなる。この光ファイバ３は、それぞれ一端側が機器などに接続され、他端側が芯線５が露出されてフェルール７に挿入される。
【００２５】
フェルール７は、２つが並列に配置され、それぞれに光ファイバ３の芯線５が挿入され、フェルールアッシー２３となる。このフェルールアッシー２３は、フェルールアッシー２３を保持する研磨治具（不図示）と、フェルール７の先端面を研磨する研磨盤（不図示）などによって、光ファイバ３の端面が研磨される。このようなフェルールアッシー２３のフェルール７側は、ハウジング９に収容配置される。
【００２６】
ハウジング９は、直方体の筒状に形成され、内部に２つのフェルール７が並列配置されて収容される。このハウジング９は、相手光ファイバ（不図示）の先端に設けられた相手フェルール（不図示）が収容配置された相手ハウジング（不図示）と嵌合可能であり、相手ハウジングと嵌合することにより、相手フェルールとフェルール７とが接続され、相手光ファイバと光ファイバ３とが光結合される。このようなハウジング９には、ホルダ１３が挿入されて組付けられる。
【００２７】
ホルダ１３は、ハウジング９のフェルール７が収容された部分の下面側から挿入されて組付けられ、幅方向の中央部に設けられたフェルール保持部２５によってフェルールアッシー２３の抜け止めを行い、フェルール７をハウジング９に保持する。このホルダ１３は、係止部１１を介してハウジング９に係止される。
【００２８】
係止部１１は、ホルダ１３の幅方向両側に撓み可能に設けられたロックアーム２７と、ハウジング９の幅方向両側に貫通して設けられた孔部からなる被係止部２９とを備え、ロックアーム２７には仮係止部１９と、本係止部２１とが設けられている。なお、被係止部２９は、上面側が仮係止部１９と本係止部２１との係止面が係止される係止面となっており、下面側が仮係止部１９と本係止部２１との傾斜面が当接される傾斜面となっている。
【００２９】
仮係止部１９は、ロックアーム２７の先端側に突設され、上面側に被係止部２９との当接によりロックアーム２７を撓ませる傾斜面が設けられ、下面側にロックアーム２７の復元により被係止部２９に係止される係止面が設けられている。この仮係止部１９は、ホルダ１３がハウジング９内に挿入され、係止面が被係止部２９と係止することにより、ホルダ１３をハウジング９に対して仮係止位置で保持する。
【００３０】
このホルダ１３の仮係止位置では、図５に示すように、ホルダ１３のフェルール保持部２５が下方に位置しており、フェルールアッシー２３のフェルール７側をハウジング９内に挿入可能とする。
【００３１】
本係止部２１は、ロックアーム２７の仮係止部１９より下方に突設され、上面側に被係止部２９との当接によりロックアーム２７を撓ませる傾斜面が設けられ、下面側にロックアーム２７の復元により被係止部２９に係止される係止面が設けられている。この本係止部２１は、ホルダ１３が仮係止位置からハウジング９内に挿入され、係止面が被係止部２９と係止することにより、ホルダ１３をハウジング９に対して本係止位置で保持する。
【００３２】
このホルダ１３の本係止位置では、図６に示すように、ホルダ１３のフェルール保持部２５が上方に位置され、フェルールアッシー２３のフェルール７を係止してハウジング９からのフェルールアッシー２３の抜け止めを行う。
【００３３】
このようにハウジング９に対して仮係止位置と本係止位置とを移行されるホルダ１３にはリブ１５が設けられ、ハウジング９にはリブ１５が嵌合される嵌合部１７が設けられている。
【００３４】
リブ１５は、ホルダ１３の幅方向両側に一対となるようにそれぞれホルダ１３のハウジング９への挿入方向に向けて延設されている。この一対のリブ１５，１５は、ホルダ１３をハウジング９に挿入して組付ける際に、ハウジング９に設けられた嵌合部１７，１７にそれぞれ嵌合される。
【００３５】
嵌合部１７は、ハウジング９の両側壁の内面に一対のリブ１５，１５と対応するようにそれぞれホルダ１３のハウジング９への挿入方向に向けて延設された溝部となっている。この嵌合部１７，１７に一対のリブ１５，１５を嵌合させることにより、ホルダ１３をハウジング９に挿入して組付け、係止部１１において仮係止部１９が被係止部２９に係止するまでの間に、ホルダ１３がハウジング９に対して回転したり、傾いたりするなどの位置ずれを防止することができる。また、ホルダ１３のハウジング９に対する仮係止位置では、リブ１５と嵌合部１７との嵌合により、ホルダ１３のハウジング９に対する傾きを抑制することができる。
【００３６】
一方、ホルダ１３がハウジング９に対して仮係止位置から本係止位置に移行する場合には、リブ１５と嵌合部１７との嵌合により、ホルダ１３がハウジング９に対して傾くことがなく、ホルダ１３のハウジング９への挿入を安定して案内することができる。このため、係止部１１において、本係止部２１と被係止部２９とが片当たりなどすることがなく、確実に本係止部２１を被係止部２９に係止させることができる。
【００３７】
このようにホルダ１３のハウジング９への組付けにおいて、リブ１５と嵌合部１７とを嵌合させることにより、ホルダ１３のハウジング９に対する位置ずれを防止することができ、ハウジング９やホルダ１３などの破損を防止することができる。
【００３８】
なお、本実施の形態に係る光コネクタ１では、リブ１５と嵌合部１７とをハウジング９の端部側に設けているため、ホルダ１３のハウジング９に対する仮係止位置において、ホルダ１３の自重によってハウジング９に対してホルダ１３が僅かに傾いているが、他の部材との干渉が避けられる場合にはリブ１５と嵌合部１７とをハウジング９の中央側に設けてさらにホルダ１３のハウジング９に対する傾きを抑制することが好ましい。
【００３９】
このような光コネクタ１では、ホルダ１３にホルダ１３のハウジング９への挿入方向に向けてリブ１５が延設され、ハウジング９にリブ１５が嵌合される嵌合部１７が設けられているので、リブ１５と嵌合部１７とが嵌合することにより、ハウジング９へのホルダ１３の組付の際に、ホルダ１３がハウジング９に対して回転したり、傾いたりするなどの位置ずれを抑制することができる。
【００４０】
従って、このような光コネクタ１では、ホルダ１３のハウジング９に対する位置ずれを抑制することができ、組付性を向上することができる。
【００４１】
また、係止部１１は、仮係止部１９と本係止部２１とを有するので、仮係止部１９によってハウジング９とホルダ１３とを一部材で取り扱うことができ、部品点数を削減することができる。また、仮係止部１９から本係止部２１への移行では、リブ１５と嵌合部１７との嵌合により、ホルダ１３のハウジング９に対する位置ずれを抑制することができ、組付性を向上することができる。
【００４２】
（第２実施形態）
図７〜図１０を用いて第２実施形態について説明する。
【００４３】
本実施の形態に係る光コネクタ１０１は、一対のリブ１５，１５は、フェルール保持部２５を介して一体に連結されている。
【００４４】
また、光ファイバ３は、芯線５が挿通される加締めスリーブ１０７を介してフェルール７に固定され、ホルダ１３は、加締めスリーブ１０７を介してフェルール７をハウジング９に保持する。
【００４５】
なお、第１実施形態と同一の構成には、同一の記号を記して説明を省略するが、第１実施形態と同一の構成であるので、構成及び機能説明は第１実施形態を参照するものとし省略するが、得られる効果は同一である。
【００４６】
ここで、図７に示すように、光コネクタ１０１におけるフェルールアッシー１０３は、光ファイバ３が芯線５の外周に抗張力繊維１０５が設けられ、この抗張力繊維１０５の外周に二次被覆が施された中空タイプの光ファイバとなっている。
【００４７】
この光ファイバ３は、芯線５が加締めスリーブ１０７と加締めリング１０９とを挿通してフェルール７に挿入され、加締めスリーブ１０７と加締めリング１０９とを介してフェルール７に固定され、フェルールアッシー１０３となる。
【００４８】
なお、ハウジング９のフェルールアッシー１０３のフェルール７側には、バネ部材１１１が収容される。このバネ部材１１１は、フェルール７とホルダ１３のフェルール保持部２５との間に配置され、フェルール７を相手ハウジング側に向けて常時付勢する。
【００４９】
図７〜図１０に示すように、光コネクタ１０１では、ホルダ１３にリブ１５が設けられ、ハウジング９にリブ１５が嵌合される嵌合部１７が設けられている。
【００５０】
リブ１５は、ホルダ１３の幅方向両側に一対となるようにそれぞれホルダ１３のハウジング９への挿入方向に向けて延設されている。この一対のリブ１５，１５間には、フェルール保持部２５が設けられている。
【００５１】
ここで、フェルール保持部２５は、加締めスリーブ１０７をハウジング９に保持することによって、フェルールアッシー１０３のハウジング９からの抜け止めを行い、フェルール７をハウジング９に保持している。
【００５２】
このようにフェルール保持部２５が加締めスリーブ１０７を介してフェルール７をハウジング９に保持することにより、光ファイバ３に引張力などの外力が加わったとしても、光ファイバ５と加締めスリーブ１０７との固定部によってその外力を吸収することができ、外力が光ファイバ３の芯線５とフェルール７との挿通部に伝達されることを大幅に抑制することができる。
【００５３】
このフェルール保持部２５を介して一対のリブ１５，１５は、連続する一部材として一体に連結されている。このように一対のリブ１５，１５をフェルール保持部２５を介して一体に連結させることにより、一対のリブ１５，１５の剛性が向上し、外力などによる一対のリブ１５，１５の変形を防止することができる。
【００５４】
このような一対のリブ１５，１５は、ハウジング９の両側壁の内面に一対のリブ１５，１５と対応するようにそれぞれホルダ１３のハウジング９への挿入方向に向けて延設された溝部である嵌合部１７，１７に嵌合される。
【００５５】
このようなリブ１５と嵌合部１７とを嵌合させることにより、ホルダ１３のハウジング９への組付けにおいて、ホルダ１３のハウジング９に対する位置ずれを防止することができ、ハウジング９やホルダ１３などの破損を防止することができる。
【００５６】
ここで、一対のリブ１５，１５と嵌合部１７とは、ハウジング９の中央側に設けられている。このため、図１０に示すホルダ１３のハウジング９に対する仮係止位置においては、ホルダ１３の自重によるハウジング９に対するホルダ１３の僅かな傾きを抑制することができる。
【００５７】
このような光コネクタ１０１では、一対のリブ１５，１５がフェルール保持部２５を介して一体に連結されているので、リブ１５の剛性を向上してリブ１５の変形を抑制することができ、リブ１５と嵌合部１７との嵌合を安定化させ、さらに組付性を向上することができる。
【００５８】
また、ホルダ１３は、加締めスリーブ１０７を介してフェルール７をハウジング９に保持するので、光ファイバ３に引張力などの外力が加わったとしても、加締めスリーブ１０７によって、その外力がフェルール７に伝達されることを抑制することができる。
【００５９】
なお、本発明の実施の形態に係る光コネクタでは、リブがホルダに設けられ、嵌合部がハウジングに設けられているが、リブをハウジングに設け、嵌合部をホルダに設けてもよい。
【００６０】
また、光ファイバは、２本が並列に配置された構造となっているが、これに限らず、例えば、１本の光ファイバの両端側を並列に配置させる、いわゆる光ループバックコネクタにおいても、本発明の光コネクタの構成を適用することができる。
【符号の説明】
【００６１】
１，１０１…光コネクタ
３…光ファイバ
５…芯線
７…フェルール
９…ハウジング
１１…係止部
１３…ホルダ
１５…リブ
１７…嵌合部
１９…仮係止部
２１…本係止部
２５…フェルール保持部
【図１】
2014219613.tif 000003
【図２】
2014219613.tif 000004
【図３】
2014219613.tif 000005
【図４】
2014219613.tif 000006
【図５】
2014219613.tif 000007
【図６】
2014219613.tif 000008
【図７】
2014219613.tif 000009
【図８】
2014219613.tif 000010
【図９】
2014219613.tif 000011
【図１０】
2014219613.tif 000012